(57)【要約】【課題】靴磨き剤が紙又は布に一体に設けてあるものでは、靴磨き剤を覆うシールを剥がすと靴磨き剤が手について、靴磨きをする前から手を汚す可能性があり、使い勝手がよくないことがある。【解決手段】可撓性を有する基材と、基材の一方の面に取り付けられる複数のマイクロカプセルと、マイクロカプセルに封入される靴保守剤とからなる。【選択図】図２
2007275351.tif 000002
【特許請求の範囲】
【請求項１】
可撓性を有する基材と、
基材の一方の面に取り付けられる複数のマイクロカプセルと、
マイクロカプセルに封入される靴保守剤とからなる靴保守具。
【請求項２】
基材が、布と、その布の一方の面に重ね合わされる保護材とからなり、保護材は、布の他方の面に取り付けられるマイクロカプセル内から出る靴保守剤の透過を阻止し得るものである請求項１記載の靴保守具。
【請求項３】
基材の少なくとも一つの縁部近傍の縁領域を除いて基材にマイクロカプセルを取り付けてなる請求項１又は２記載の靴保守具。
【請求項４】
基材が、袋形状をなし、その袋形状の開口を形成する縁部近傍に形成される縁領域以外の外面にマイクロカプセルを取り付け、内面全面に保護材が重ね合わせてなる請求項３記載の靴保守具。
【請求項５】
保護材が、合成樹脂製である請求項２記載の靴保守具。
【請求項６】
靴保守剤が、靴表面の汚れを除去する除去剤からなる請求項１、２、３、４又は５のいずれか一つに記載の靴保守具。
【請求項７】
靴保守剤が、靴表面の汚れを除去する除去剤と、靴墨とからなり、除去剤と靴墨とがそれぞれ異なるマイクロカプセルに封入される請求項１、２、３、４又は５のいずれか一つに記載の靴保守具。
【発明の詳細な説明】
【技術分野】
【０００１】
本発明は、革靴などを容易に手入れすることができるようにする靴保守具に関するものである。
【背景技術】
【０００２】
従来、例えば革靴の手入れとして、靴磨きを行うものである。この靴磨きは、靴の表面の汚れをいわゆる靴クリーナにより取ってから、保革のための薬剤、つまりいわゆる靴クリームや靴墨などを靴の表面に塗布し、その後に例えば布などにより磨いて仕上げるものである。この場合、靴クリーナや靴墨などはそれぞれ、別々の容器に入っており、また布は別個に準備して、靴磨きを行う前に取りそろえておくものである。
【０００３】
このように、上述の構成では、靴クリーナ、靴墨、さらに布を個別にそろえて初めて靴磨きができるものである。したがって、その内の一つの要素が欠けると、靴磨きができないものである。このため、例えば特許文献１に記載のもののように、紙又は布に靴磨き剤を一体にしておき、靴磨き剤にシールを被せておいて、靴を磨く際にシールをはがして使用する靴磨き用具が知られている。
【特許文献１】特開平１０−２９５６２２号公報
【発明の開示】
【発明が解決しようとする課題】
【０００４】
ところが、特許文献１に記載のもののような構成のものであると、シールを剥がすと靴磨き剤が手につく可能性がある。つまり、上述のものでは、靴磨き剤が紙又は布に一体に設けてあるので、それらを個別に準備する必要はなくなるものの、注意していないとシールを剥がした後は靴磨き剤が手につく場合がある。
【０００５】
そこで本発明は、このような不具合を解消することを目的としている。
【課題を解決するための手段】
【０００６】
すなわち、本発明の靴保守具は、可撓性を有する基材と、基材の一方の面に取り付けられる複数のマイクロカプセルと、マイクロカプセルに封入される靴保守剤とからなることを特徴とする。
【０００７】
このような構成であれば、マイクロカプセルに靴保守剤が封入されていることから、マイクロカプセルが圧力により破壊されるまで靴保守具は基材の表面に露出しないものである。つまり、マイクロカプセルから靴保守剤が放出されない限り使用者の手が汚れることはない。したがって、靴の保守作業を行うまで、注意力を払うことなく扱うことが可能になる。
【０００８】
基材は、靴の形状に追従するような可撓性を有するものであれば、その素材は特に限定されるものではなく、織布、不織布、合成樹脂製のシート材、紙などが挙げられる。
【０００９】
具体的には、基材が、布と、その布の一方の面に重ね合わされる保護材とからなり、保護材は、布の他方の面に取り付けられるマイクロカプセル内から出る靴保守剤の透過を阻止し得るものであるものが好ましい。このような構成によれば、布の表面に靴保守剤が放出されても、保護材により靴保守剤が手に達することを阻止することができる。
【００１０】
誤ってマイクロカプセルを破壊しないようにするためには、基材の少なくとも一つの縁部近傍の縁領域を除いて基材にマイクロカプセルを取り付ける構成とすることが好ましい。このような縁領域を形成しておくことにより、マイクロカプセルを取り付けた領域以外をつまむことができるので、マイクロカプセルから靴保守剤が放出されることを防止することが可能になる。
【００１１】
使用時の利便性をさらに向上させるには、基材が、袋形状をなし、その袋形状の開口を形成する縁部近傍に形成される縁領域以外の外面にマイクロカプセルを取り付け、内面全面に保護材が重ね合わせてなるものが好ましい。このように、基材を袋形状に形成することにより、その内部に手を差し入れることができるため、扱いが容易になる。しかも、縁領域を形成しておくことにより、重ねて保管している場合に、手を汚すことなくその内の一つを取り出すことが可能になる。
【００１２】
このような構成にあって、保護材としては、合成樹脂製のものが好ましい。
【００１３】
また、靴保守剤としては、靴表面の汚れを除去する除去剤からなるが挙げられる。あるいは、靴保守剤が、靴表面の汚れを除去する除去剤と、靴墨とからなり、除去剤と靴墨とがそれぞれ異なるマイクロカプセルに封入される構成のものが挙げられる。このような構成にあっては、靴表面の汚れを除去剤により除去した後に靴墨によりつやを増すなど仕上げることが可能になる。
【発明の効果】
【００１４】
本発明は、可撓性を有する基材と、基材の一方の面に取り付けられる複数のマイクロカプセルと、マイクロカプセルに封入される靴保守剤とからなるので、マイクロカプセルが圧力により破壊されるまで靴保守具は基材の表面に露出せず、したがって、靴の保守作業を行うまで、注意力を払うことなく扱うことができ、手を汚すことなく靴を保守することができる。
【発明を実施するための最良の形態】
【００１５】
以下、本発明の一実施形態を、図１〜３を参照して説明する。
【００１６】
この靴保守具１００は、可撓性を有する基材１と、基材１の一方の面に取り付けられる複数のマイクロカプセル２と、マイクロカプセル２に封入される靴保守剤とからなり、袋形状に形成してある。靴保守具１００は、例えば長方形の基材１をその約１／２の長さの平面視ほぼ長方形となるように折り畳み、重ね合わさる短辺の縁部１１に開口１２を形成し、残るそれぞれの長辺の縁部１３が例えば接着などにより閉鎖してある。そして、開口１２から、少なくとも手の指が被覆される大きさを、靴保守具１００は有している。
【００１７】
基材１は、布３と、布３の一方の表面に取り付けられた合成樹脂製の保護材４との二層構造のものである。布３は、織布、不織布のいずれであってもよく、天然素材、合成樹脂素材の別を問わない。また、保護材４は、布３に染み込んだ靴保守剤を透過させない性能のものであれば、特に素材を限定するものではなく、布３と同様の可撓性を有するものであれば厚みや色などについても限定されるものではない。
【００１８】
以上の構成の基材１に取り付けられるマイクロカプセル２は、基材１を構成する布３の、保護材４が重ね合わされていない他方の面に例えば接着剤により取り付けられる。マイクロカプセル２は、その内部に、靴表面の汚れや古くなった靴墨などを除去する除去剤であるいわゆる靴クリーナを封入してなるものである。この実施形態の場合には、上述した開口１２の形成された縁部１１の近傍における縁領域１４には、マイクロカプセル２が取り付けられない。つまり、マイクロカプセル２は、この縁領域１４を除く布３の外面に取り付けられるものである。マイクロカプセル２は、使用時つまり靴の表面に押し当てて移動させる（磨く）際に加えられる平均的な圧力により破壊される強度を持つもので形成すればよい。
【００１９】
靴保守具１００は例えば、図３に示すように、マイクロカプセル２が取り付けられてない縁領域１４を同じ方向に向けて複数重ね合わせ、合成樹脂製などの収納袋５（想像線により示す）に入れて携帯できるようにするものである。収納袋５は、整列された縁領域１４の側が開封し得るように形成してある。使用する際には、その内の一枚を抜き出す。このとき、使用者は、縁領域１４をつまむことができるので、マイクロカプセル２から除去剤が出てきて、指を汚すといったことを防止することができる。
【００２０】
このようにして収納袋５から抜き出した靴保守具１００に開口１２から指を差し入れ、手入れを行う靴の表面に靴保守具１００を押し当てて、圧力を加えた状態で密着させて動かす。この操作により、基材１の表面のマイクロカプセル２が破壊され、封入されていた除去剤が靴表面と基材１との間に放出される。放出された除去剤は、基材１を構成する布３にも染み込むが、布３の内側の面には保護材４が取り付けてあるので、染み込んだ除去剤が使用者の指に達することがない。したがって、使用中においても、指つまり手が汚れることを防止することができる。
【００２１】
この実施形態の靴保守具１００は、袋形状をしているので、作業に際して表側と裏側とを明確に区別して使用することができる。つまり、靴保守具１００の表側により右の靴を保守し、次にその右の靴と対をなす左の靴を、靴保護具１００の裏側により保守することができる。したがって、一つの靴保守具１００により一足の靴を常に新鮮な靴保守具１００の面により作業することができ、ほぼ同じ状態に保守することができる。
【００２２】
なお、本発明は、上述の実施形態に限定されるものではない。
【００２３】
靴保守具１００は、袋形状にするもの以外に、シート状にするものであってもよい。この場合においては、マイクロカプセル２が取り付けられてない縁領域１４を広く設定することにより、収納袋５からの取り出しや使用時における手の汚れをなくすことができる。また、収納袋５に収納するに際しては、それぞれの靴保守具１００を折り畳んで相互に重ね合わせ、一番上に位置する靴保守具１００の縁領域１４を持って引き抜くことにより、次に位置する靴保守具１００の縁領域１４が収納袋５の取り出し口から突出するように収納するものであってもよい。
【００２４】
上記実施形態にあっては、マイクロカプセル２に封入される靴保守剤として除去剤である靴クリーナを説明したが、このような除去剤に限定されることなく、保革剤、つや出し剤、靴墨などを封入するものであってよい。同一の靴保守具において靴保守剤を複数種類使用する場合は、それぞれの靴保守剤を別個のマイクロカプセルに封入するものであってよい。具体的には、例えば、除去剤を封入したマイクロカプセルと靴墨を封入したマイクロカプセルとを、ほぼ均等に混在するように基材に取り付ける構成とすればよい。この場合に、二種類のマイクロカプセルの混合比率は例えば、靴墨が封入されたマイクロカプセルの量を多めにするなど、求められる効果が確実に発揮されるように設定するものである。具体的には、靴墨のマイクロカプセルを混合するものでは靴墨のマイクロカプセルを除去剤のマイクロカプセルより多く、またつや出し剤のマイクロカプセルを混合するものでは、つや出し剤のマイクロカプセルを除去剤のマイクロカプセルより多く混合するものである。
【００２５】
また、除去剤及び保革材、保革剤及びつや出し材、つや出し材及び靴墨というように、異なる機能の二種類を混合した靴保守剤を芯物質としてマイクロカプセルに封入するものであってもよい。
【００２６】
基材２０１を構成する布２０３が不織布である場合は、図４に示すように、布２０３の厚み内の表面に近い側にマイクロカプセル２を取り付ける構成にするものであってもよい。このような構成の靴保守具２００では、マイクロカプセル２が直接表面に出ていない構成となるので、誤ってマイクロカプセル２が取り付けられている領域をつまんでマイクロカプセル２が破壊された場合でも、手を汚す程度を最小限に抑えることができる。
【００２７】
その他、各部の具体的構成についても上記実施形態に限られるものではなく、本発明の趣旨を逸脱しない範囲で種々変形が可能である。
【図面の簡単な説明】
【００２８】
【図１】本発明の実施形態の斜視図。
【図２】同実施形態の断面図。
【図３】同実施形態の収納状態を示す斜視図。
【図４】同実施形態の変形例の断面図。
【符号の説明】
【００２９】
１…基材
２…マイクロカプセル
３…布
４…保護材
【図１】
2007275351.tif 000003
【図２】
2007275351.tif 000004
【図３】
2007275351.tif 000005
【図４】
2007275351.tif 000006